【手続補正書】
【提出日】平成25年6月28日(2013.6.28)
【手続補正１】
【補正対象書類名】明細書
【補正対象項目名】００２５
【補正方法】変更
【補正の内容】
【００２５】
容器３は首部８と本体９とを有する。本体９は肩部分１０を有し、肩部分１０は首部８よりも幅広であってもよい。例えば図２、特に図２Ｂ、および図３からより明らかであるように、首部８に壁１１を設けてもよい。この壁は、例えば、限定されないが、首部８および／または容器３の縦軸Ｌに垂直な実質的に円形の断面を有する、円筒状の壁である。首部８は、第１のフランジ１２を設けられている。第１のフランジ１２は、実質的に半径方向外方に、例えば、容器３をそれからブロー成形することができるプリフォームのための図２Ａに図示されているように、壁１１から外方に、首部８の周り全体に延在していてもよい。第１のフランジ１２は、例えば、肩部分１０の近傍に設けられていてもよい。少なくとも１つのさらなる第２の要素１３、例えば第２のフランジ１４が、壁１１から実質的に半径方向外方に延在していてもよい。代替的な一実施の形態では、複数のそのような第２の要素１３、例えばティース、リブ、バヨネット要素等が壁１１から外方に延在する。一または各第２の要素１３、例えば第２のフランジ１４が、第１のフランジ１２の本体９と反対側に延在する。空間または距離１５が、第１のフランジ１２の、一または各第２の要素１３に対向する第１の表面１６と、一のまたは各さらなる第２の要素１３の、第１のフランジ１２と対向する第１の表面１７との間に設けられている。第１のフランジ１２は、軸Ｌに関して第２の要素１３よりもさらに半径方向外方に延在する。
【手続補正２】
【補正対象書類名】明細書
【補正対象項目名】００３０
【補正方法】変更
【補正の内容】
【００３０】
タッピング装置２は、圧力室４の内部の圧力を制御するための加圧手段５に結合された制御装置２８を設けられていてもよい。この制御装置は圧力室内の圧力センサ２９に接続されている。このコントローラは加圧装置５、特にそのポンプを飲料が容器３から所望の圧力で分注できるように調製するためのアルゴリズムを設けられていてもよい。好適な一実施の形態では、この所望の圧力を制御装置２８により設定することができる。使用時、好ましくは、圧力室４内の圧力は容器を圧縮し、かつこれを圧縮された状態に保つ高さに維持される。一実施の形態では、加圧装置５は、空気を圧力室に圧送して容器または少なくともその本体９を圧縮するために設けられている。他の実施の形態では、水のような流体を容器３を圧縮するために使用することができる。圧力逃がし弁４８を圧力室４に設けることができる。そのような圧力逃がし弁４８を安全装置として使用し、圧力室４の過剰加圧を防止することができる。圧力逃がし弁４８は、容器３を交換するために圧力室４を開放するのに先立って、代替的にまたは追加的に使用することができる。
【手続補正３】
【補正対象書類名】明細書
【補正対象項目名】００３３
【補正方法】変更
【補正の内容】
【００３３】
タッピング・ライン３２内の飲料を冷却するために、タッピング・ライン３２を、直列型クーラー（ｉｎ  ｌｉｎｅ  ｃｏｏｌｅｒ）３３または他の当技術において既知の冷却手段のような冷却手段を通して導くことができる。図１に示す実施の形態では、タッピング・ライン３２はタッピング・コック３４内にまたはタッピング・コック３４に結合される。タッピング・コック３４はタッピング装置２自体に取付けることができる。他の実施形態では、タッピング・コック３４を別個に、例えばバーのカウンタ３０に取付けることができる。タッピング・ラインの一部分またはタッピング・ライン３２全体を使い捨てにしてもよい。タッピング・ライン３２は容器３を設けられていてもよく、所望により容器３とともに使い捨てにしてもよい。タッピング・ラインは弁３１に取り外し不能に結合されていてもよい。他の実施の形態では、タッピング・ライン３２は使用者により弁３１に結合されてもよい。一実施の形態では、タッピング・ラインはタッピング設備の固定されたタッピング・ライン３２のように繰り返し使用のために設計することもできる。そのような場合、タッピング・ラインは、適切なコネクタ、例えば店舗の再使用可能なビール樽に使用される既知のタッピング・ヘッドまたはコネクタにより弁３１に結合してもよい。弁３１は、例えば容器から飲料が分注されるだけの単一の弁のような専用の弁３１であってもよい。
【手続補正４】
【補正対象書類名】明細書
【補正対象項目名】００３６
【補正方法】変更
【補正の内容】
【００３６】
図７Ａおよび図７Ｂに概略を示すように、例示のために図７Ａにその雄型変形例、図７Ｂにその雌型変形例を示されたスプレイ缶型弁３１は、閉鎖リング３５を用いて取付けることができる。この実施の形態では、弁３１はハウジング４１を有し、ハウジング４１はプラスチックまたは金属製クリンチプレート４２に既知の方法で固定され、金属製クリンチプレート４２は既知の方法で端部３８の上にクリンチ（折り返し止め）されている。図７Ａの弁３１は中空ステム４３を備え、密閉ショルダ４４が密閉プレート４５にばね４６により押しつけられている。１個または複数個の実質的に半径方向の開口部４７がステム４３の底近傍においてステムの壁を貫通して延在し、該開口部４７はステム４３をばね４６に抗して押し下げることにより密閉プレート４５のレベルより下にすることができる。これにより、飲料が容器３の内部空間Ｖからステム４３を通って外方へ、例えばステム４３に結合されたタッピング・ライン３２内へ流入することを可能にする。図７Ｂの一実施の形態では、ステムは開口部４４ａを通ってシーリング・プレートまたは本体４５内へ流入し、プレートまたは本体４５をばね４６に抗して押し下げ、弁３１を開き、飲料が分注可能となる。
【手続補正５】
【補正対象書類名】明細書
【補正対象項目名】００５２
【補正方法】変更
【補正の内容】
【００５２】
図８および図８Ａに示す、本発明に使用するプリフォーム３９の代替的一実施の形態は、第１のフランジ１２、第２のフランジ１４および第３のフランジ８０、または第１および第３のフランジ１２、８０および複数の要素１３を有し、第３のフランジ８０が第１のフランジ１２の第２のフランジ１４または要素１３から見て反対側にある。第３のフランジは、従って、プリフォーム３９およびそれからブロー成形された容器３に対して第１のフランジ１２よりも近い。第３のフランジ８０は、好ましくは軸Ｌの周りに第１のフランジ１２と同心であり、第１のフランジ１２よりも、さらに第２のフランジ１４または要素１３よりも小さな直径Ｄをもつことができる。図示の実施の形態では、第３のフランジ８０は第１のフランジよりも数ミリメートル小さく、例えば、限定されないが、壁１１に沿って測定すると、約３ミリメートル〜６ミリメートルであってもよい。第３のフランジ８０は安定性、とくに首部８の形状および寸法安定性を増加させることができる。図８Ａに、首部の一部分の拡大図が示され、第１および第２のフランジ１２，１４および第３のフランジ８０を示す。そのような第３のフランジ８０は本願に開示されまたは実質的に開示されている任意のプリフォームおよび容器において使用することができる。この実施の形態において明らかなように、角度αは角度βに比べて比較的に大きく、例えば約２０〜４０倍であり、限定されないが、例えば、約３０倍である。角度βは、例えば、側方に引き離された、首部を形成するモールド部分の通気に十分であるように、例えば約１°以下に選ばれる。明らかに、αおよびβについての記載の範囲内から任意の角度を選ぶことができる。